(57)【特許請求の範囲】
【請求項１】
薬物送達デバイス用の複合工作物を製造する方法であって：
Ａ）共にプラスチックを含むように選択される、第一の工作物部分（１）及び第二の工作物部分（２）を備える工程；
Ｂ）両工作物部分（１、２）が、接触エリア（３）において互いに機械的接触下にあるように、両工作物部分（１、２）を互いに対して配置する工程；
Ｃ）第一の工作物部分（１）の表面を電磁放射線で照射し、それにより、第一の工作物部分（１）及び／又は第二の工作物部分（２）を、接触エリア（３）に隣接する領域で軟化させる工程；及び
Ｄ）第一の工作物部分（１）を複合工作物のために接触エリア（３）で第二の工作物部分（２）に接合する工程；
を含み、
工程Ｂ）において、第一の工作物部分（１）が、少なくとも部分的に第二の工作物部分内に導入され、それにより、工作物部分は、接触エリアにおいて互いに機械的接触させられ、ここで工程Ｃ）において、電磁放射線が第一の工作物部分内の中空空間から放射され、電磁照射は本質的に半径方向外側に向けられる、複合工作物の製造方法。
【請求項２】
工程Ｃ）の前で工程Ｂ）の後、第一の工作物部分（１）及び第二の工作物部分（２）が、力により、接触エリア（３）において、互いに機械的接触下にあるように保持される、請求項１に記載の方法。
【請求項３】
前記力が、工作物部分（１、２）の内の１つ又は両方の残留弾性変形を介して、工作物部分（１、２）の１つに、工作物部分（１、２）の内のもう１つによって及ぼされる弾性復元力である、請求項２に記載の方法。
【請求項４】
工程Ｂ）において、工作物部分（１、２）が圧力嵌め連結を介して互いに連結される、請求項１〜３のいずれか１項に記載の方法。
【請求項５】
第一の工作物部分（１）が、工程Ｃ）の電磁放射線に対して、少なくとも部分的に透過性である、請求項１〜４のいずれか１項に記載の方法。
【請求項６】
第一の工作物部分（１）が黒色顔料を含む、請求項５に記載の方法。
【請求項７】
第二の工作物部分（２）が、工程Ｃ）の電磁放射線を、第二の工作物部分（２）を軟化させるように吸収する、請求項１〜６のいずれか１項に記載の方法。
【請求項８】
第一の工作物部分（１）及び第二の工作物部分（２）用に、管状又は半管状形をそれぞれ有する部分が使用される、請求項１〜７のいずれか１項に記載の方法。
【請求項９】
工程Ｂ）において、第二の工作物部分（２）が、少なくとも部分的に第一の工作物部分（１）内に導入され、それにより、工作物部分（１、２）は、接触エリア（３）において互いに機械的接触させられる、請求項１〜８のいずれか１項に記載の方法。
【請求項１０】
接触エリア（３）は、第一の工作物部分（１）及び第二の工作物部分（２）が工程Ｂ）
において重なり合う全エリアのサブエリアのみである、請求項１〜９のいずれか１項に記載の方法。
【請求項１１】
第一の工作物部分（１）用に、工程Ｃ）の電磁放射線に対して不浸透であり、そして工程Ｃ）の電磁放射線を、第一の工作物部分（１）及び／又は第二の工作物部分（２）を軟化させるように吸収する部分が使用される、請求項１〜４又は７〜９のいずれか１項に記載の方法。
【請求項１２】
第一の工作物部分（１）及び／又は第二の工作物部分（２）がスプリング部材を含む、請求項１〜１１のいずれか１項に記載の方法。
【請求項１３】
工程Ｃ）において、第一の工作物部分（１）の表面を照射するためレーザを用いる、請求項１〜１２のいずれか１項に記載の方法。
【請求項１４】
複合工作物が薬物送達デバイスの製造中に成形され、デバイスが注射ペンである、請求項１〜１３のいずれか１項に記載の方法。
【請求項１５】
請求項１〜１４のいずれか１項に記載の方法に従って、第一の工作物部分（１）及び第二の工作物部分（２）を接合させることを含む、薬物送達デバイス（７）の製造方法。
【発明の詳細な説明】
【技術分野】
【０００１】
本開示は薬物送達デバイス用の複合工作物を製造する方法及び薬物送達デバイス用の複合工作物に関する。
【背景技術】
【０００２】
薬物送達デバイス又は薬物送達デバイス用工作物を製造するための１つの問題は、これらのデバイスは小さくて、複雑であり得ることである。それにも拘わらずそれらは信頼性高く駆動すべきである。
【発明の概要】
【発明が解決しようとする課題】
【０００３】
本開示の目的は、薬物送達デバイスを製造するための改良された方法又は薬物送達デバイス用の工作物を提供することである。
【課題を解決するための手段】
【０００４】
１つの態様は、薬物送達デバイス用の複合工作物を製造するための方法を対象としている。方法は、第一の工作物部分及び第二の工作物部分を提供する工程Ａ）を含み得る。本方法は、両工作物が接触エリアにおいて互いに機械的接触下にあるような方法で、両工作物を互いに配置する工程Ｂ）を含むことができる。本方法は、第一の工作物の表面を電磁放射線で照射する工程Ｃ）を含み得る、それにより、第一の工作物及び／又は第二の工作物を、接触エリアに隣接する領域で軟化させる。本方法は複合工作物に対して、接触エリアにおいて、第一の工作物を第二の工作物に可逆的に又は不可逆的に結合する工程Ｄ）を含み得る。
具体的には、本願発明は、薬物送達デバイス用の複合工作物を製造する方法であって：
Ａ）共にプラスチックを含むように選択される、第一の工作物部分（１）及び第二の工作物部分（２）を備える工程；
Ｂ）両工作物部分（１、２）が、接触エリア（３）において互いに機械的接触下にあるように、両工作物部分（１、２）を互いに対して配置する工程；
Ｃ）第一の工作物部分（１）の表面を電磁放射線で照射し、それにより、第一の工作物部分（１）及び／又は第二の工作物部分（２）を、接触エリア（３）に隣接する領域で軟化させる工程；及び
Ｄ）第一の工作物部分（１）を複合工作物のために接触エリア（３）で第二の工作物部分（２）に接合する工程；
を含み、
工程Ｂ）において、第一の工作物部分（１）が、少なくとも部分的に第二の工作物部分内に導入され、それにより、工作物部分は、接触エリアにおいて互いに機械的接触させられ、ここで工程Ｃ）において、電磁放射線が第一の工作物部分内の中空空間から放射され、電磁照射は本質的に半径方向外側に向けられる、複合工作物の製造方法に関する。
【０００５】
それ故、薬物送達デバイス用の複合工作物は、好ましくは、４つの工程Ａ）〜Ｄ）を含むプロセスで製造される。第一工程Ａ）において、第一の工作物部分及び第二の工作物部分が提供される。第二工程Ｂ）において、両部分は、それらが接触エリアにおいて互いに機械的接触下にあるように互いに配置される。両エレメントは大きいエリアで重なり合うことができる。接触エリアは、都合よくは、両工作物部分が、直接互いに接触するエリアである。第三工程Ｃ）において、第一の工作物部分の表面が電磁放射線で照射される。第一の工作物部分は、工程Ｃ）において、第一の工作物部分のいずれの表面も照射し得る。好ましくは、第二の工作物部分から離れた第一の工作物部分の側面にある表面が照射される。
【０００６】
軟化は、部分の１つ又は両方が溶解し、液体になるまで軟化しうることを意味する。あるいは、軟化は、第一の及び／又は第二の工作物部分が溶融なしで軟化され得ることを意味する。
【０００７】
１つ又は両工作物部分が軟化した後、第一の工作物部分は、好ましくは接触エリアで、工程Ｄ）において、第二の工作物部分に非可逆的に結合し、複合工作物を形成する。結合した後、第一の工作物部分及び第二の工作物部分は、好ましくは、例えば、硬化プロセスの後、恒久的に結合し、複合工作物を形成する。
【０００８】
従って、薬物送達デバイスの場合、工作物部分、例えば、デバイスのハウジングの部分は、好ましくは恒久的に、工作物部分の１表面を直接照射することなしで互いに接続され得る。例えば、電磁放射線は、その発生する吸収の故に、この部分を著しく軟化させることなく第一の工作物部分を通じて放射し得る。放射は第二の工作物部分で吸収し得る。従って、また、２つの部分の内１つが、例えば、第一の工作物部分中の第二の工作物部分のように、デバイス内に配置されるとき、部分は互いに結合し得る。
【０００９】
両部分が工程Ｄ）において軟化される場合、両部分の軟化材料は互いに混合してもよい。工作物部分間の非常に安定した結合はこのようにして形成できる。
【００１０】
工程Ｃ）の前、そして工程Ｂ）の後の実施態様において、第一の工作物部分及び第二の工作物部分は、接触エリアにおいて力により互いに機械的接触下に維持される。
【００１１】
力は外部力であってもよいが、好ましくは、内部力である。内部力は、追加的にかかられた外部力無しに、２つの工作物部分の１つによって、工作物部分のもう１つにかけられる力であってもよい。例えば、第一の工作物部分、及び／又は、第二の工作物部分が、それらが軟化される前に、互いに対して配置された後、弾性応力下にあってもよい。軟化された後、第一の工作物部分、及び／又は、第二の工作物部分は、好ましくは、軟化エリアにおいて弾性応力下にはない。
【００１２】
別の実施態様において、力は、弾性変形、好ましくは、工作物部分の１つ又は両者の残留弾性変形を介して、１つの工作物部分によって、工作物部分の１つに及ぼされる弾性力である。
【００１３】
力は、弾性復元力であってもよい。弾性復元力は、未変形の形状を取り戻そうとする弾性的に変形した工作物部分から発生し得る。
【００１４】
力が弾性復元力である場合、工作物部分の１つが、接触エリアにおいて、工作物部分のもう１つに圧力をかける。同様に、両工作物部分が弾性応力下にあり、それ故、両者が接触エリアにおいて互いに圧力をかけることが可能である。
【００１５】
工程Ｂ）における別の実施態様において、工作物部分は、圧力嵌め連結（force-fit connection）、好ましくは、圧入嵌め連結（press-fit connection）を介して互いに連結される。
【００１６】
この実施態様において、両工作物部分は、例えば圧入嵌めエリアである接触エリアにおいて、互いに、圧力をかける。２つの部分は、圧力嵌め連結により互いに固定できる。それ故、両工作物部分は、工作物部分を、互いに対して調整させるための追加の外部力なしで照射されるように準備できた位置に保持され得る。
【００１７】
別の実施態様において、第一の工作物部分は、工程Ｃ）の電磁放射線に対して透過性である。
【００１８】
この場合、第一の工作物部分は、工程Ｃ）の電磁放射線に対して透過性であり、第一の工作物部分は、第二の工作物部分が配置されているその側と比較して第一の工作物部分の反対側にある表面上で、工程Ｃ）において放射し得る。第二の工作物部分から離れた第一の工作物部分の表面が放射される場合、電磁放射線は、第一の工作物部分を透過し得て、そして、都合よく第一の工作物部分と接触する第二の工作物部分の表面に到達し得る。従って、第二の工作物部分は、第一の工作物部分と直接接触するその表面上で加熱され得る。その結果、第一の工作物部分は、第二の工作物部分から直接第二の工作物部分に接触する第一の工作物部分のそのエリアへ、熱伝達により軟化され得る。例えば、第一及び第二の工作物部分の両者は、両部分が互いに接触を維持しているエリアで軟化され得る。それ故、両工作物部分が作られている材料は、互いに混合することは可能である。硬化した後、両部分は、強力な機械力ですら抵抗しうるような互いに恒久的な接続状態にある。
【００１９】
また、第一の工作物部分が、工程Ｃ）の電磁放射線に対して部分的にのみ透過性である別の実施態様があるが、第一の工作物部分は、また、工程Ｃ）の電磁放射線を部分的に吸収する。この場合、第一部分のみが電磁放射線により軟化し、そして、例えば、第二部分に対しては、工程Ｃ）の電磁放射線を反射する材料を使用し得ることが可能である。それにより、第一の工作物部分で吸収された放射力は増加し得る。
【００２０】
別の実施態様において、第一の工作物部分は黒色顔料を含む。
【００２１】
黒色顔料は、工程Ｃ）の電磁放射線の全体を吸収しないように、電磁放射線に適合するような方法で選択しうる。それ故、例えば、薬物送達デバイスの外表面上に配置され、又は形成される第一部分は、薬物送達デバイスの使用者にとって黒く見えるが、それにも拘わらず、工程Ｃ）の電磁放射線に対して第二の工作物部分を軟化させるに十分な程度に透過性であることが可能である。
【００２２】
別の実施態様において、第二の工作物部分は、少なくとも部分的に、工程Ｃ）の電磁放射線を、第二の工作物部分を軟化させるに十分な程度まで吸収する。
【００２３】
例えば、第一の工作物部分に対して、電磁放射線に対して透過性のある部分が使用される場合、電磁放射線は、第一の工作物部分を経由して放射する。従って、放射は、第一の工作物部分に接触する第二の工作物部分の表面に到達し得る。その結果、第二の工作物部分は、工程Ｃ）の電磁放射線を吸収し得る。電磁放射線を十分な程度まで吸収することにより、第二の工作物部分は、放射エネルギーの吸収のために軟化され得る。好ましくは、第二の工作物部分は、第一の工作物部分と直接接触するその表面で軟化を始める。第二の工作物部分が電磁波放射を吸収する場合、例えば、それは吸収エネルギーを経由して加熱される。第二の工作物部分が、エネルギーの一部を第一の工作物部分へ伝達することも、また、可能である。それ故、第一の工作物部分も軟化され得る。これは、第一の工作物部分それ自身が、電磁放射線を、単独では第一の工作物部分を軟化させるに十分でない程度まで吸収しないケースでさえあり得る。
【００２４】
第一の工作物部分、及び／又は、第二の工作物部分に対する別の実施態様において、それぞれ管状又は半管状形体を有する部分が使用される。
【００２５】
管状形体は、好ましくは、追加として、他の機能、例えば、全体、突起又はネジ山を含んでもよい部分の巨視的形体（macroscopic form）として理解し得る。半管状形体は、好ましくは、２つの半管状形体が一緒に結合されたとき、管状形体を有する複合部分が形成される部分として理解すべきである。半管状部分は、例えば、チャンネルの形体を含んでもよい。同様に、半管状部分は、好ましくは、巨視的形体として理解すべきである。これらの半管状部分は、また、管状形体の文脈で既に記述した追加の幾何学的構造を含んでもよい。
【００２６】
好ましくは、第一の工作物部分、及び／又は、第二の工作物部分は、薬物送達デバイス、特に、注射ペンのようなペン型デバイスの部分である。ペン型デバイス及び特にペン型注射器は、１つ又は複数のスリーブを含んでもよい。それぞれのスリーブの管状形状は、特に、それぞれの工作物を形成するのに適している。
【００２７】
工程Ｂ）の別の実施態様において、第二の工作物部分は、第一の工作物部分に少なくとも部分的に導入され、そしてそれにより、両部分は、接触エリアで互いに機械的接触をもたらされる。
【００２８】
例えば、両部分が管状形状を有する場合、第二の工作物部分は、第一の工作物部分に、特に、その中空空間に部分的に導入されてもよい。この場合、第一の工作物部分の最小の内径は、第二の工作物部分の外径と適合するか、又はそれ以下である。
【００２９】
別の好ましい実施態様において、第一の工作物部分は、部分的に、第二の工作物部分に、特に、その中空部分に部分的に導入されてもよい。この場合、第二の工作物部分の最小の内径は、第一の工作物部分の外径と適合するか、又はそれ以下である。この実施態様において、電磁放射線は、好ましくは、第一の工作物部分の内側の中空空間から放射されてもよく、電磁照射は、好ましくは、本質的に半径方向外側に向けられる。この実施態様は、第二の工作物部分の目に見える外表面での最小の光学的欠陥を示す利点を有する。
【００３０】
別の実施態様において、接触エリアは、工程Ｂ）において第一の工作物部分及び第二の工作物部分が重なり合う全エリアのサブエリアのみである。好ましくは、第二の工作物部分は、接触エリアを規定し得る突起を有する。
【００３１】
例えば、両エレメントは管状形状を有し、そして第二の工作物部分が第一の工作物部分に導入される場合、両部分が重なり合うエリアのサブエリアのみが、第一の工作物部分に対して接触エリアを形成するために必要な外径を有する。第一の工作物部分と重なり合うが、接触エリアを形成しない残存エリアは、例えば、接触エリアを形成する第二の工作物部分のエリアと比較してより小さい外径を有してもよい。
【００３２】
別の実施態様において、工程Ｃ）の電磁放射線にとって不浸透の部分が、第一の工作物部分に対して用いられ、そして、少なくとも部分的には、工程Ｃ）の電磁放射線を、好ましくは、第一の工作物部分、及び／又は、第二の工作物部分を軟化させるに十分な程度吸収する。
【００３３】
この実施態様において、工程Ｃ）の電磁放射線は第一の工作物部分を透過しないかもしれない。むしろ、第一の工作物部分は、電磁放射線を、例えば、放射されるその表面で、吸収することができる。第一の工作物部分の表面で吸収されるエネルギーは、例えば、第一の工作物部分全体を通して移動され、そして分配され得る。エネルギーが第一の工作物部分全体を通して、第二の工作物部分まで移動されることも、また、可能である。従って、例えば、第二の工作物部分が第一の工作物部分と比較してより低い融点を有し、第二の工作物部分が、放射から第一の工作物部分全体を通じて第二の工作物部分に移動される熱により軟化される、実施態様は可能である。第一の工作物部分は、また、放射により軟化され得る。また、第一の工作物部分のみが、工程Ｃ）の電磁放射線により軟化されることが可能な実施態様がある。
【００３４】
別の実施態様において、第一の工作物部分、及び／又は、第二の工作物部分はスプリング部材を含む。
【００３５】
第一の工作物部分及び第二の工作物部分は、例えば、半管状形体において、例えば、スプリング部材として形成されてもよい。それ故、第一の工作物部分及び第二の工作物部分が、工程Ｂ）に従って配置される場合、それらは、例えば、管を形成してもよい。第二の工作物部分は、例えば、部分的に第一の工作物部分に導入されてもよく、そして、接触エリアにおいて、第一の工作物部分の外表面に圧力をかけてもよい。 それにより、両エレメントは弾性応力下に置かれ、好ましくは、工程Ｂ）の後、弾性応力下に保持される。特に、弾性力が両工作物部分を一緒に押さえるので、第一の工作物部分及び第二の工作物部分の接合部分は強化され得る。この方法において、信頼性のある複合工作物の提供を促進することができる。
【００３６】
別の実施態様において、工程Ｃ）における第一の工作物部分の表面の放射のために、レーザが用いられる。
【００３７】
レーザ放射は２つの工作物部分の信頼性のある接続を達成するために有利である。レーザは小ビーム直径を有し得る。従って、レーザは、特に、小さいエリアにも拘わらず安定し得る、小さいレーザ溶接を発生させるのに適切である。
【００３８】
この場合、工程Ｃ）で放射用に用いられるレーザの波長は、例えば、第一の工作物部分の材料に適合させ得る。
【００３９】
別の実施態様において、複合工作物は、注射ペンである薬物送達デバイスの製造中に成形される。
【００４０】
注射ペンの部材、好ましくは、管状部材は、特に、複合工作物を形成するために上記で記載した方法により結合するのに適しているかもしれない。
【００４１】
この場合、薬物送達デバイスは、例えば、ヒト体内へ液体を注射するために使用し得るデバイスである。
【００４２】
別の実施態様において、第一の工作物部分及び第二の工作物部分は両者がプラスチックを含むように選択される。
【００４３】
プラスチックは、金属と比較して、それらが通常、低密度であり、その結果プラスチック部分から製造される複合工作物は、金属から作られる工作物に比較してより低い質量を有し得るという利点を有する。プラスチック部分の別の利点は、プラスチックは、通常、例えば、金属部品と比較して低い温度で軟化し、又は溶融することができることである。もう一つの利点は、プラスチック部分は、通常、金属部分よりコスト的により効率的に製造できることである。
【００４４】
別の実施態様において、第一の工作物部分、及び／又は、第二の工作物部分は金属を含む。
【００４５】
第一の工作物部分及び第二の工作物部分が金属を含む場合、両部分は外部又は内部力に対してより強固であり、それ故、両部分はより強い力に適用され得る。
【００４６】
薬物送達デバイス用複合工作物を製造するための方法に加えて、複合工作物それ自身が、また、本明細書に開示される。方法と組み合わせて本明細書に開示される特徴は、また、工作物に応用でき、逆もまた同じである。
【００４７】
実施態様によると、薬物送達デバイスを製造する方法が提供される。本方法は、前述の方法に基づき、第一の工作物部分及び第二の工作物部分を結合することを含み得る。
【００４８】
この方法において、信頼性のある薬物送達デバイスの提供を促進し得る。
【００４９】
実施態様において、薬物送達デバイス用の複合工作物は、第一の工作物部分を含む。複合工作物は第二の工作物部分を含んでもよい。第一の工作物部分及び第二の工作物部分は、接触エリアにおいて互いに機械的接触下にあってもよい。接触エリアは溶接部を含んでもよい。溶接は、好ましくは恒久的に、第一の工作物部分を第二の工作物部分に接続し得る。接触エリアは溶接部に隣接した非溶接のサブエリアを含んでもよい。
【００５０】
従って、薬物送達デバイス用の複合工作物は、接触エリアを含んでもよく、それは、一方で、第一の工作物部分を第二の工作物部分に恒久的に接続する溶接部、及び他方で、第一の工作物部分及び第二の工作物部分が互いに溶接されていない接触エリアにおけるサブエリアを含む。溶接部に隣接し、そして、溶接部の周囲に位置し得るこのサブエリアにおいて、第一及び第二部分は弾性残留応力下にあり得て、そして互いに圧力を適用し得る。工作物部分の１つの残留弾性変形のために、工作物部分の１つによって工作物部分上のもう１つにかけられる残留弾性復元力は、２つの工作物部分の間に存在してもよい。
【００５１】
前述した接触エリアは、例えば、小さな接触エリアのみが、局部的に加熱された溶接プロセスの結果であり得る。それ故、エネルギーは、小部分で事前に画成されたエリアにエネルギーを移転するのに適した、製造プロセスによって接触エリアに適用されるべきであった。第一の工作物部分及び第二の工作物部分が溶接されていないサブエリアにおいて、両部分は、尚、例えば、接触エリア全体が溶接プロセス前であったような、弾性応力下にあってもよい。
【００５２】
実施態様によると、薬物送達デバイスが提供される。デバイスは、１つ又は２つ、又はそれ以上の前述した複合工作物を含んでもよい。
【００５３】
それぞれの部材、及び／又は、デバイスの部材の部分は、結合し得て、好ましくは、恒久的に結合し得て、それぞれの複合工作物を形成する。この方法により、信頼性のある薬物送達デバイスの提供が促進される。
【００５４】
実施態様によると、薬物送達デバイスはペン型デバイスである。
【００５５】
ペン型デバイスは、少なくとも１つ、好ましくは、２つ以上のスリーブを含んでもよい。これらのスリーブは、特に、それぞれの複合工作物を形成するための結合に適しているかもしれない。
【００５６】
好ましい実施態様によると、以下の工程を含む薬物送達デバイス用の複合工作物を製造するための方法：
Ａ）第一の工作物部分及び第二の工作物部分を提供し；
Ｂ）両工作物部分が接触エリアにおいて互いに機械的接触下にあるような方法で、互いに、両工作物部分を配置し；
Ｃ）第一の工作物部分の表面を電磁放射線で照射し、それにより、第一の工作物部分、及び／又は、第二の工作物部分を接触エリアに隣接する領域で軟化し；及び
Ｄ）複合工作物のため、第一の工作物部分を接触エリアにおいて第二の工作物部分と接合させる；
が、提供される。
【００５７】
好ましい実施態様によると、
−第一の工作物部分；
−第二の工作物部分；
を含み、
ここで、第一の工作物部分及び第二の工作物部分は、接触エリアで互いに機械的接触下にあり、接触エリアは、第一の工作物部分を第二の工作物部分に恒久的に連結させる溶接部を含み、そして、接触エリアは溶接部に隣接する非溶接のサブエリアを含む；
薬物送達デバイス用の複合工作物が提供される。
【発明を実施するための形態】
【００５８】
次の図面は、複合工作物及び複合工作物の製造方法の幾つかの実施態様を説明するためのものである。
【図面の簡単な説明】
【００５９】
【図１ａ】複合工作物の一実施態様の製造プロセスの３つの異なった工程の概略断面を示す。
【図１ｂ】複合工作物の一実施態様の製造プロセスの３つの異なった工程の概略断面を示す。
【図１ｃ】複合工作物の一実施態様の製造プロセスの３つの異なった工程の概略断面を示す。
【図２ａ】別の複合工作物の製造プロセスの４つの異なった工程の概略断面を示す。
【図２ｂ】別の複合工作物の製造プロセスの４つの異なった工程の概略断面を示す。
【図２ｃ】別の複合工作物の製造プロセスの４つの異なった工程の概略断面を示す。
【図２ｄ】別の複合工作物の製造プロセスの４つの異なった工程の概略断面を示す。
【図３】薬物送達デバイスの例示的な実施態様を示す。
【００６０】
図１ａは第一の工作物部分１及び第二の工作物部分２の断面を概略的に示す。両部分１、２は、この実施態様において、管状又はスリーブ状の形体を有する。円周状に閉鎖し得る第一の工作物部分１は、中空であってもよい、その内側を見ることが可能な窓で概略示される。窓は第一の工作物部分に存在してもよく、又は説明目的のみで部分１の内側を見ることができるためであってもよい。
【００６１】
この実施態様において、第二の工作物部分２は一定の内径を有する。第二の工作物部分２の外径は変わり得る。第二の工作物部分２は、その外表面で１つ以上の突起部６を含む。それぞれの突起６はフランジであってもよく、又は突起６は１つ以上の突起リブを含んでもよい。従って、第二の工作物部分２の外径は、突起部６を有する部分においては、部分２の上部及び底部に対して、他のセクターにおけるより大きい。突起部６を有するセクションは、第一の工作物部分１の中央又は中間部分であってもよい。第二の工作物部分２の底部及び上部における外径は、中央部分と比べて小さい。
【００６２】
図１ｂは、例えば、前述した工程Ｂ）の方法のための概略断面を示す。第一の工作物部分１及び第二の工作物部分２は、第二の工作物部分２を第一の工作物部分１内へ導入することにより結合されるために、互いに配置される。両部分１、２は、接触エリア３において別部分と接触する。この実施態様において、接触エリア３は、第一の工作物部分１と第二の工作物部分２の間で重なり合いのサブエリアのみである。第二の工作物部分２の外径は、突起部分６のエリアにおいて、第一の工作物部分１の内径より大きい。従って、外部力は、第二の工作物部分２を第一の工作物部分１内へ押すために必要とされる。突起部６の外径は、第二の工作物部分２が第一の工作物部分１内へ導入することができ、そして、更に、２つの部分１、２は、接触エリアにおいて弾性復元力によって互いに押される方法で、第一部分１の内径に適合される。接触エリア３における、工作物部分１、２の内の１つの、又は両工作物部分の残留弾性変形のために、工作物部分１、２によって、互いに、この力がかけられる。より小さい直径を有する第二の工作物部分２の外表面のエリアにおいては、第一の工作物部分１及び第二の工作物部分２は、弾性応力下にはない。このエリアにおいて、２つの工作物部分１、２を互いに押しあう力はないかもしれない。
【００６３】
図１ｃは、例えば、前述の工程Ｃ）であり得る別の製造工程の概略横断面図を示す。この製造工程において、第一の工作物部分１の表面は、レーザ光で照射される。レーザは第一の工作物部分を通り抜け、そして、第二の工作物部分に到達する。レーザ放射は、第二の工作物部分２に吸収し得る。レーザは、第一の工作物部分１を透過した後、接触エリア３において第二の工作物部分２に衝撃を与えるように、第一の工作物部分１の表面のエリアに集中され得る。それ故、レーザ光のエネルギーは第二の工作物部分２により吸収しうる。吸収エネルギーは、第一の工作物部分１と直接接触する第二の工作物部分２の表面を軟化させ得る。第二の工作物部分２は、吸収エネルギーを通して加熱し得て、そして、熱は、また、第一の工作物部分１が軟化されるように、第一の工作物部分１へ移動し得る。両工作物部分１，２が、溶融するまで軟化される場合、両工作物部分１、２の材料は混合することができる。
【００６４】
レーザは第一の工作物部分の表面上の選択点のみに向けることができる。それにより、各点溶接（pointwise weld）が創造し得る。接触エリア３における前者の第二の工作物部分２の周囲に円周状に走り得る（run）連続した溶接部が形成できるような方法で、第一の工作物部分１全体の周囲にレーザを誘導することも、また、可能である。
【００６５】
第一の工作物部分１及び第二の工作物部分２が軟化する前に、互いに圧力をかける弾性復元力により、第一の工作物部分１と第二の工作物部分２の間の良好な結合力を得るための追加の外部力は必要としない。従って、良好な結合は、例えば、接触エリア３において、１つ又は２つ以上の点を軟化させ、そして軟化材料を硬化させることにより、まさに、可能となる。硬化後、第一の工作物部分１及び第二の工作物部分２は、恒久的に、そして、接続が機械的応力に抵抗できるようにしっかりと接続される。
【００６６】
図２ａは第一の工作物部分１の別の実施態様の概略断面を示す。この実施態様において、第一の工作物部分１は、半管状形体のスプリング部材である。スプリング部材は、第一の工作物部分１の内側の左端及び右端における接触エリア３を形成するために供されたセクションを有す。第一の工作物部分１は、薬物送達デバイス７（図３参照）の部分、例えば、デバイス７のハウジングスリーブ８の部分であってもよい。
【００６７】
図２ｂは、第二の工作物部分２の実施態様の概略断面を示す。同様に、第二の工作物部分２はスプリング部材である。図２ａで示される第一の工作物部分１と比較した場合、それは、更に、スプリング部材の反対側の端部に、２つの翼（wing）を含む。これら２つの翼は、特に、これら２つの翼の外表面は、それらが第一の工作物部分と接続状態になり、そして、翼の外側で接触エリア３を形成するように、第一の工作物部分１に適合される。第二の工作物部分２は、薬物送達デバイス７（図３参照）の部分であってもよく、特に、デバイス７のハウジングスリーブ８の他の部分であってもよい。
【００６８】
図２ｃは、例えば、図２ａで示される第一の工作物部分１、及び図２ｂで示される第二の工作物部分２を、それらが管を形成するような方法で、互いに、配置することにより製造できる複合工作物の概略断面を示す。両部分１、２は、この実施態様において、第二の工作物部分２の翼が第一の工作物部分１の内部へ、例えば、その対応するスロットに導入され、そして、個々の翼の外側が第一の工作物部分１の表面に接触するように配置される。第二の工作物部分２の翼、及び第一の工作物部分１の内部表面での対応エリアが、弾性復元力であり得る力で互いに押さえられる。
【００６９】
図２ｄは、追加の製造工程の後の、複合工作物の別の実施態様の概略断面を示す。この実施態様において、第一の工作物部分１は、事前に定義された、好ましくは、第一の工作物部分１の外表面の小エリアにおいて、電磁放射線、例えば、レーザで照射された。この表面は、第二の工作物部分２の翼と接触する第一の工作物部分１の内部表面から反対側に位置する。レーザ光のエネルギーは、第一の工作物部分１で吸収され、それにより、第一の工作物部分１は、接触エリア３のサブエリアで軟化する。硬化の後、溶接部４は接触エリア３で形成され、ここで溶接部４は、第一の工作物部分１を第二の工作物部分２と、恒久的に接続させる。溶接部４は、両部分１、２が互いに溶接されない溶接部４に隣接して残された接触エリア３のサブエリア５が存在するような接触エリア３全体を占有しない。このサブエリア５において、両部分１，２は、未だ、弾性復元力により、弾性応力下にあり、それ故、互いに圧力をかけ合い得る。
【００７０】
代替の実施態様において、第一の工作物部分は、部分的に、第二の工作物部分２に、特に、その中空空間に導入されてもよい。この場合、第二の工作物部分２の最小内径は、第一の工作物部分の最大外径と適合するか、又はそれ以下である。
【００７１】
この実施態様において、電磁放射線は第一の工作物部分の内側の中空空間から放出され、電磁放射線は、本質的に半径方向の外側に向けられている。
【００７２】
図３は、薬物送達デバイス７の例示的な実施態様を示す。薬物送達デバイス７は、例えば、図２ａ〜図２ｄと関連して説明した通りに形成された、１つ以上の複合工作物（明確には示されていないが）を含んでもよい。
【００７３】
薬物送達デバイス７は注射器デバイスであってもよい。薬物送達デバイス７は、ペン型、特に、ペン型注射器であってもよい。デバイス７は、使い捨て、又は再使用可能なデバイスであってもよい。デバイス７は、薬物の固定用量、特に、使用者により変更できない、又は変更可能な、好ましくは、使用者が設定可能な薬物の用量を投与するように構成され得る。薬物送達デバイス７は、手動の、特に、非電力駆動デバイスでよい。
【００７４】
薬物送達デバイス７はハウジング８を含む。ハウジング８は管状形状を含む。特に、ハウジング８は、スリーブを含んでもよく、又はスリーブとして具体化されてもよい。ハウジング８は、薬物送達デバイス７の部材、例えば、誘導部材（明確に示されていないが）、駆動部材（明確に示されていないが）、及び／又は、投与部材１１を収納するように構成されている。好ましくは、これらの部材は管状形状を含む。特に、これらの部材はスリーブを含んでもよく、又はスリーブとして具体化されてもよい。デバイス７のそれぞれの部材の管状形状は、特に、第一の工作物部分１、及び／又は、第二の工作物部分２として機能するに好適な、それ故、前述の複合工作物を形成するに好適なこれらの部材を作る。特に、ハウジングスリーブ７は、第一の工作物部分及び第二の工作物部分２（明確に示されていないが）を結合して形成した複合工作物を含んでもよい。更に、又は、あるいは、投与部材１１は複合工作物を含んでもよい。
【００７５】
更にその上、デバイス７は、前述した誘導部材、特に、誘導スリーブ（明確に示されていないが）を含んでもよい。この部材は、ハウジング８の内部に配置されてもよい。特に、誘導スリーブは、ハウジング８を、特に、ハウジングに対する軸方向、及び回転方向の移動に対して、恒久的に固定することができる。ハウジング８は、この場合、第一の工作物部分を形成してもよい。誘導部材は第二工作部分を形成してもよい。ハウジング８及び誘導部材の恒久的に組み合わされた結合は、デバイス７の複合工作物を含んでもよい。
【００７６】
薬物送達デバイス７はカートリッジホルダ９を含む。カートリッジホルダ９は、デバイス７のハウジング８に接続され、好ましくは、取り外し可能に接続される。デバイス７はカートリッジ１０を含む。カートリッジ１０はカートリッジホルダ９内に保持される。カートリッジホルダ９は、カートリッジ１０を機械的に安定化させる。カートリッジ１０は、複数の薬物の用量を保持してもよい。本明細書で使用する用語「薬剤」は、少なくとも１つの薬学的に活性な化合物を含む医薬製剤を意味し、ここで一実施態様において、薬学的に活性な化合物は、最大で１５００Ｄａまでの分子量を有し、及び／又はペプチド、蛋白質、多糖類、ワクチン、ＤＮＡ、ＲＮＡ、抗体、酵素、抗体、ホルモン若しくはオリゴヌクレオチド、又は上述の薬学的に活性な化合物の混合物である。
【００７７】
ここで、更なる実施態様において、薬学的に活性な化合物は、糖尿病、又は糖尿病性網膜症などの糖尿病関連の合併症、深部静脈又は肺血栓塞栓症などの血栓塞栓症、急性冠症候群（ＡＣＳ）、狭心症、心筋梗塞、がん、黄斑変性症、炎症、枯草熱、アテローム性動脈硬化症、及び／又は関節リウマチの処置、及び／又は予防に有用である。
【００７８】
ここで、更なる実施態様において、薬学的に活性な化合物は、糖尿病、又は糖尿病性網膜症などの糖尿病に関連する合併症の処置、及び／又は予防のための、少なくとも１つのペプチドを含む
【００７９】
ここで、更なる実施態様において、薬学的に活性な化合物は、少なくとも１つのヒトインスリン、又はヒトインスリン類似体若しくは誘導体、グルカゴン様ペプチド（ＧＬＰ−１）、又はその類似体若しくは誘導体、又はエキセジン−３又はエキセジン−４、若しくはエキセジン−３又はエキセジン−４の類似体若しくは誘導体を含む。
【００８０】
インスリン類似体は、例えば、Ｇｌｙ（Ａ２１）、Ａｒｇ（Ｂ３１）、Ａｒｇ（Ｂ３２）ヒトインスリン；Ｌｙｓ（Ｂ３）、Ｇｌｕ（Ｂ２９）ヒトインスリン；Ｌｙｓ（Ｂ２８）、Ｐｒｏ（Ｂ２９）ヒトインスリン；Ａｓｐ（Ｂ２８）ヒトインスリン；位置Ｂ２８におけるプロリンが、Ａｓｐ、Ｌｙｓ、Ｌｅｕ、Ｖａｌ又はＡｌａで置き換えられ、そして、位置Ｂ２９において、Ｌｙｓが、Ｐｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、及びＤｅｓ（Ｂ３０）ヒトインスリンである。
【００８１】
インスリン誘導体は、例えばＢ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイル ヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、及びＢ２９−Ｎ−（ω−カルボキシヘプタデカノイル）ヒトインスリンである。
【００８２】
エキセンジン−４は、例えばエキセンジン−４（１−３９）、配列Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ2のペプチドを意味する。
【００８３】
エキセンジン−４誘導体は、例えば以下のリストの化合物：
Ｈ−（Ｌｙｓ）４−ｄｅｓＰｒｏ３６，ｄｅｓＰｒｏ３７エキセンジン−４（１−３９）−ＮＨ2、
Ｈ−（Ｌｙｓ）５−ｄｅｓＰｒｏ３６，ｄｅｓＰｒｏ３７エキセンジン−４（１−３９）−ＮＨ2、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−４（１−３９）、
ｄｅｓＰｒｏ３６［Ｔｒｐ（Ｏ２）２５，Ａｓｐ２８］エキセンジン−４（１−３９）、ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；又は
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
ここで、基−Ｌｙｓ６−ＮＨ2は、エキセンジン−４誘導体のＣ−末端と結合してもよく；
【００８４】
又は以下の配列のエキセンジン−４誘導体；
Ｈ−（Ｌｙｓ）６−ｄｅｓＰｒｏ３６［Ａｓｐ２８］エキセンジン−４（１−３９）−Ｌｙｓ６−ＮＨ2、
ｄｅｓＡｓｐ２８，Ｐｒｏ３６，Ｐｒｏ３７，Ｐｒｏ３８エキセンジン−４（１−３９）−ＮＨ2、
Ｈ−（Ｌｙｓ）６−ｄｅｓＰｒｏ３６，Ｐｒｏ３８［Ａｓｐ２８］エキセンジン−４（１−３９）−ＮＨ2、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ2、
ｄｅｓＰｒｏ３６，Ｐｒｏ３７，Ｐｒｏ３８［Ａｓｐ２８］エキセンジン−４（１−３９）−（Ｌｙｓ）６−ＮＨ2、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ2、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ2、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ2、
Ｈ−ｄｅｓＡｓｐ２８  Ｐｒｏ３６，Ｐｒｏ３７，Ｐｒｏ３８［Ｔｒｐ（Ｏ２）２５］エキセンジン−４（１−３９）−ＮＨ2、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2、
Ｈ−（Ｌｙｓ）６−ｄｅｓ  Ｐｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ2、
ｄｅｓＭｅｔ（Ｏ）１４，Ａｓｐ２８，Ｐｒｏ３６，Ｐｒｏ３７，Ｐｒｏ３８  エキセンジン−４（１−３９）−ＮＨ2、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2、
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2、
Ｈ−Ａｓｎ−（Ｇｌｕ）５，ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2、
Ｈ−Ｌｙｓ６−ｄｅｓＰｒｏ３６［Ｍｅｔ（Ｏ）１４，Ｔｒｐ（Ｏ２）２５，  Ａｓｐ２８］エキセンジン−４（１−３９）−Ｌｙｓ６−ＮＨ2、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ2、
Ｈ−（Ｌｙｓ）６−ｄｅｓ  Ｐｒｏ３６，Ｐｒｏ３７，Ｐｒｏ３８［Ｍｅｔ（Ｏ）１４，Ａｓｐ２８］エキセンジン−４（１−３９）−ＮＨ2、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ2、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ2、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2；
又は前述のエキセンジン−４誘導体のいずれか１つの薬学的に許容される塩若しくは溶媒和物；
から選択される。
【００８５】
ホルモンは、例えば、ゴナドトロピン（ホリトロピン、ルトロピン、コリオンゴナドトロピン、メノトロピン）、ソマトロピン（ソマトロピン）、デスモプレッシン、テルリプレッシン、ゴナドレリン、トリプトレリン、ロイプロレリン、ブセレリン、ナファレリン、ゴセレリンなどの、Rote Liste、２００８年版、５０章に表示されているような脳下垂体ホルモン又は視床下部ホルモン又は調節活性ペプチド及びそれらのアンタゴニストである。
【００８６】
多糖類としては、例えば、ヒアルロン酸、ヘパリン、低分子量ヘパリン、又は超低分子量ヘパリン、若しくはそれらの誘導体などのグルコアミノグリカン、又は上述の多糖類の硫酸化された、例えば、多硫酸化形態、及び／又は、薬学的に許容可能なそれらの塩がある。ポリ硫酸化低分子量ヘパリンの薬学的に許容される塩の例としては、エノキサパリンナトリウムがある。
【００８７】
薬学的に許容される塩は、例えば、酸付加塩及び塩基塩がある。酸付加塩としては、例えば、ＨＣｌ又はＨＢｒ塩がある。塩基塩は、例えばアルカリ又はアルカリ土類金属、例えばＮａ+、又は、Ｋ+、又は、Ｃａ2+から選択されるカチオン、又はアンモニウムイオンＮ+（Ｒ１）（Ｒ２）（Ｒ３）（Ｒ４）を有する塩であり、ここで、Ｒ１〜Ｒ４は互いに独立に、水素；場合により置換されたＣ１−Ｃ６アルキル基；場合により置換されたＣ２−Ｃ６アルケニル基；場合により置換されたＣ６−Ｃ１０アリール基、又は場合により置換されたＣ６−Ｃ１０ヘテロアリール基である。薬学的に許容される塩の更なる例は、“Remington's Pharmaceutical Sciences”17編、Alfonso R.Gennaro（編集），Mark Publishing社，Easton, Pa., U.S.A.,1985 及び Encyclopedia of Pharmaceutical Technologyに記載されている。
【００８８】
薬学的に許容可能な溶媒和物は、例えば、水和物である。
【００８９】
参照数字
１）第一の工作物部分
２）第二の工作物部分
３）接触エリア
４）溶接部
５）非溶接のサブエリア
６）突起部
７）薬物送達デバイス
８）ハウジング
９）カートリッジホルダ
１０）カートリッジ
１１）投与部材
【図１ａ】
0005777605.tif 000002
【図１ｂ】
0005777605.tif 000003
【図１ｃ】
0005777605.tif 000004
【図２ａ】
0005777605.tif 000005
【図２ｂ】
0005777605.tif 000006
【図２ｃ】
0005777605.tif 000007
【図２ｄ】
0005777605.tif 000008
【図３】
0005777605.tif 000009